【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
ファインダー用対物光学系と、前記ファインダー用対物光学系によって形成された物体像を正立正像にする像反転光学系と、接眼光学系とを備え、撮影用光路と分離されたファインダー用光路を形成する実像式ファインダー光学系において、
前記ファインダー用対物光学系が、複数のレンズ群を有し、広角端から望遠端への変倍に際し、前記複数のレンズ群の群間隔を変化するように構成され、
前記像反転光学系が、複数の反射面を有し、前記複数の反射面の中、前記物体像よりも接眼光学系側に配置された少なくとも１つの反射面の形状が光束にパワーを与える曲面反射面にて形成されると共に、前記像反転光学系が、前記曲面反射面によって発生する回転非対称な偏心収差を補正する回転非対称面を備えていることを特徴とする実像式ファインダー光学系。
【請求項２】
ファインダー用対物光学系と、前記ファインダー用対物光学系によって形成された物体像を正立正像にする像反転光学系と、接眼光学系とを備え、撮影用光路と分離されたファインダー用光路を形成する実像式ファインダー光学系において、
前記像反転光学系が、複数の反射面を有し、前記複数の反射面の中、前記物体像よりも接眼光学系側に配置された少なくとも１つの反射面の形状が光束にパワーを与える曲面反射面にて形成されると共に、前記像反転光学系が、前記曲面反射面によって発生する回転非対称な偏心収差を補正する回転非対称面を備えていると共に、
以下の条件（３−１）、（３−２）を満足することを特徴とする実像式ファインダー光学系。
０＜｜ＰＸｎ／ＰＸ｜＜５                          ・・・（３−１）
０＜｜ＰＹｎ／ＰＹ｜＜５                          ・・・（３−２）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、ＰＸｎ、ＰＹｎはそれぞれパワーを有する反射面の軸上主光線近傍でのＸ方向、Ｙ方向の面のパワー、ＰＸ、ＰＹは中間像から観察者側に向けて軸上主光線に沿ったそれぞれＸ方向、Ｙ方向に対して微小な高さΔの平行光線を通した際に、その光線が観察者側に最も近い面から射出する軸上主光線に対する傾角のｓｉｎを前記Δで割った値であり、接眼光学系全体のＸ方向、Ｙ方向のパワーと定義される値である。
【請求項３】
以下の条件（３−１）、（３−２）を満足することを特徴とする請求項１に記載の実像式ファインダー光学系。
０＜｜ＰＸｎ／ＰＸ｜＜５                          ・・・（３−１）
０＜｜ＰＹｎ／ＰＹ｜＜５                          ・・・（３−２）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、ＰＸｎ、ＰＹｎはそれぞれパワーを有する反射面の軸上主光線近傍でのＸ方向、Ｙ方向の面のパワー、ＰＸ、ＰＹは中間像から観察者側に向けて軸上主光線に沿ったそれぞれＸ方向、Ｙ方向に対して微小な高さΔの平行光線を通した際に、その光線が観察者側に最も近い面から射出する軸上主光線に対する傾角のｓｉｎを前記Δで割った値であり、接眼光学系全体のＸ方向、Ｙ方向のパワーと定義される値である。
【請求項４】
前記回転非対称面が、前記物体像よりも接眼光学系側に配置されていることを特徴とする請求項１から３の何れか１項に記載の実像式ファインダー光学系。
【請求項５】
前記回転非対称面が、前記像反転光学系が有する反射面上に形成されていることを特徴とする請求項１から３の何れか１項に記載の実像式ファインダー光学系。
【請求項６】
前記回転非対称面が、前記曲面反射面上に形成されていることを特徴とする請求項１から３の何れか１項に記載の実像式ファインダー光学系。
【請求項７】
前記回転非対称面が、前記像反射光学系中に複数配置されていることを特徴とする請求項１から６の何れか１項に記載の実像式ファインダー光学系。
【請求項８】
前記像反転光学系と前記接眼光学系が一体化されていることを特徴とする請求項１から７の何れか１項に記載の実像式ファインダー光学系。
【請求項９】
以下の条件式（４−１）、（４−２）を満足することを特徴とする請求項１から８の何れか１項に記載の実像式ファインダー光学系。
０．１＜１／｜ＰＸ×ｄ／ｎ｜＜１                  ・・・（４−１）
０．１＜１／｜ＰＹ×ｄ／ｎ｜＜１                  ・・・（４−２）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、ＰＸ、ＰＹは中間像から観察者側に向けて軸上主光線に沿ったそれぞれＸ方向、Ｙ方向に対して微小な高さΔの平行光線を通した際に、その光線が観察者側に最も近い面から射出する軸上主光線に対する傾角のｓｉｎを前記Δで割った値であり、接眼光学系全体のＸ方向、Ｙ方向のパワーと定義される値であり、ｄは中間像よりも観察者側の像反転光学系を展開したときの軸上主光線の長さ、ｎは中間像よりも観察者側の像反転光学系の屈折率である。
【請求項１０】
以下の条件式（５−１）、（５−２）を満足することを特徴とする請求項１から９の何れか１項に記載の実像式ファインダー光学系。
０．０３ｍｍ-1＜ＰＸ＜０．５ｍｍ-1                ・・・（５−１）
０．０３ｍｍ-1＜ＰＹ＜０．５ｍｍ-1                ・・・（５−２）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、ＰＸ、ＰＹは中間像から観察者側に向けて軸上主光線に沿ったそれぞれＸ方向、Ｙ方向に対して微小な高さΔの平行光線を通した際に、その光線が観察者側に最も近い面から射出する軸上主光線に対する傾角のｓｉｎを前記Δで割った値であり、接眼光学系全体のＸ方向、Ｙ方向のパワーと定義される値である。
【請求項１１】
以下の条件式（１−１）を満足することを特徴とする請求項１から１０の何れか１項に記載の実像式ファインダー光学系。
｜ＤＹ｜＜０．５                                  ・・・（１−１）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、対物光学系が単焦点レンズの場合はその状態で、ズームレンズの場合には広角端におけるＹ−Ｚ面内でＸ方向の最大画角の主光線が回転非対称面と交差する点における前記回転非対称面の法線のｔａｎの値と、軸上主光線が前記回転非対称面と交差する点における前記回転非対称面の法線のｔａｎの値との差をＤＹとする。
【請求項１２】
前記回転非対称面が以下の条件（２−１）若しくは（２−２）の何れか一方を満足するように形成されたことを特徴とする請求項１から１１の何れか１項に記載の実像式ファインダー光学系。
｜Ｃｘｎ（Ｒ）｜＜１                              ・・・（２−１）
又は、
１＜｜Ｃｘｎ（Ｒ）｜＜１０                        ・・・（２−２）
ただし、物点中心を通り、対物光学系の絞り中心又は開口中心を通過して中間像面中心に到達し、さらに接眼光学系を通り瞳中心に入射する光線を軸上主光線とし、軸上光線が前記回転非対称面に交差するまでの直線によって定義される軸をＺ軸とし、前記Ｚ軸と直交し、かつ、前記回転非対称面の偏心面内の軸をＹ軸と定義し、前記Ｚ軸と直交し、かつ、前記Ｙ軸と直交する軸をＸ軸とするとき、対物光学系が単焦点レンズの場合はその状態で、ズームレンズの場合には広角端におけるＹ正方向の最大画角の主光線と、広角端におけるＹ負方向の最大画角の主光線が、前記面と当たる部分のＸ方向の曲率の比をＣｘｎ（Ｒ）とする。
【請求項１３】
前記ファインダー用対物光学系が、物体側から順に、負の第１レンズ群と、正の第２レンズ群を含み、広角端から望遠端への変倍に際して、前記第１レンズ群と前記第２レンズ群との群間隔が狭くなるように構成されていることを特徴とする請求項１から１２の何れか１項に記載の実像式ファインダー光学系。
【請求項１４】
前記ファインダー用対物光学系が、以下の条件（６−１）を満足することを特徴とする請求項１３に記載の実像式ファインダー光学系。
−４．０＜ｆ1 ／ｆW ＜０                          ・・・（６−１）
ただし、ｆ1 は第１レンズ群の焦点距離、ｆW は広角端での前記ファインダー用対物光学系全系の焦点距離である。
【請求項１５】
前記ファインダー用対物光学系が、物体側から順に、負の第１レンズ群と、正の第２レンズ群と、正の第３レンズ群とを含み、広角端から望遠端への変倍に際して、前記第１レンズ群と前記第２レンズ群の群間隔を狭めると共に、前記第２レンズ群と前記第３レンズ群の群間隔を変化させるように構成されていることを特徴とする請求項１から１２の何れか１項に記載の実像式ファインダー光学系。
【請求項１６】
前記ファインダー用対物光学系が、以下の条件（６−２）を満足することを特徴とする請求項１３に記載の実像式ファインダー光学系。
０＜｜ｄｚ２／ｄｚ１｜＜２．０                    ・・・（６−２）
ただし、ｄｚ１は第１レンズ群と第２レンズ群の広角端から望遠端にかけての群間隔の変化量、ｄｚ２は第２レンズ群と第３レンズ群の広角端から望遠端にかけての群間隔の変化量である。
【請求項１７】
広角端から望遠端への変倍に際して、前記第３レンズ群が光軸上に移動するように構成されていることを特徴とする請求項１５又は１６に記載の実像式ファインダー光学系。
【請求項１８】
広角端から望遠端への変倍に際して、前記第２レンズ群が光軸上を移動するように構成されていることを特徴とする請求項１３から１７の何れか１項に記載の実像式ファインダー光学系。
【請求項１９】
広角端から望遠端への変倍に際して、前記第１レンズ群が光軸上を移動するようる構成されていることを特徴とする請求項１３から１８の何れか１項に記載の実像式ファインダー光学系。
【請求項２０】
前記像反転光学系が、各々反射面を含んだ屈折率ｎが１．３よりも大きい媒質によって形成された２つのプリズム部材からなることを特徴とする請求項１から１９の何れか１項に記載の実像式ファインダー光学系。
【請求項２１】
前記２つのプリズム部材の間に、前記ファインダー用対物光学系による中間像が形成されるように構成されていることを特徴とする請求項２０に記載の実像式ファインダー光学系。
【請求項２２】
前記２つのプリズム部材の中、前記物体像よりも観察者眼球側に配置されたプリズム部材に前記回転非対称面と前記曲面反射面とが配置されていることを特徴とする請求項２１に記載の実像式ファインダー光学系。
【請求項２３】
前記回転非対称面が、対称面を１面のみ有する回転非対称面にて形成されていることを特徴とする請求項１から２２の何れか１項に記載の実像式ファインダー光学系。
【請求項２４】
前記回転非対称面が光軸をＺ軸としたときに、このＺ軸と垂直なＸ軸若しくはＹ軸の何れか一方の軸に沿って前記１面のみの対称面が形成されていることを特徴とする請求項２３に記載の実像式ファインダー光学系。
【請求項２５】
請求項１から２４の何れか１項に記載の前記実像式ファインダー光学系、及び、前記撮影用光路上に配置された撮影用対物光学系と前記撮影用対物光学系によって形成される物体像を撮像するための撮像素子とを有する撮影光学系を備えたことを特徴とするカメラ装置
【請求項２６】
前記撮像素子が電子撮像素子からなることを特徴とする請求項２５に記載の電子カメラ装置。